(57)【要約】マットレス支持要素は流体充填ブラダ（２４）および前記ブラダが実質的に囲繞する流体容器（２８）を含む。前記流体容器は前記ブラダの外側の周囲流体と定常的に流体により連通する。前記流体容器は、外力が前記ブラダに加わるときに初期形状から変形し、かつ外力が除去されるときに初期形状へ復帰する。
2004520905.tif 000002
【特許請求の範囲】
【請求項１】
流体充填ブラダ、および
前記ブラダにより実質的に囲繞された流体容器を含み、
前記流体容器は前記ブラダの外側の周囲流体と定常的に連通する流体内にあり、
前記流体容器は、外圧が前記ブラダに加わるときに初期形状から変形し、かつ外圧が前記ブラダから除去されるときに初期形状へ戻るように構成されている、マットレス支持要素。
【請求項２】
前記ブラダは前記ブラダからの流体の漏れを防止するために封止されている、請求項１のマットレス支持要素。
【請求項３】
前記ブラダに連結された流体入口弁を更に含む、請求項１のマットレス支持要素。
【請求項４】
前記ブラダは自己膨張型である、請求項３のマットレス支持要素。
【請求項５】
前記流体容器の内側に設置された弾性圧縮自在部材を更に含む、請求項１のマットレス支持要素。
【請求項６】
前記弾性圧縮自在部材はフォーム材、熱可塑性不織材、複数のスプリング要素、およびベローの少なくとも一つを含む、請求項５のマットレス支持要素。
【請求項７】
前記ブラダの内側に設置されかつ前記流体容器を実質的に囲繞する弾性圧縮自在材料を更に含む、請求項１のマットレス支持要素。
【請求項８】
前記流体容器を前記ブラダから周囲流体に通気させる前記流体容器に対する流入流出を生じさせるように構成された流体運搬部材を更に含む、請求項１のマットレス支持要素。
【請求項９】
前記流体運搬部材は遮断されていない、請求項８のマットレス支持要素。
【請求項１０】
前記ブラダは概ね矩形断面形状を有する、請求項１のマットレス支持要素。
【請求項１１】
前記ブラダは概ね円形断面形状を有する、請求項１のマットレス支持要素。
【請求項１２】
前記ブラダ内の圧力は外力が前記ブラダに加わるときに前記流体容器内の流体量を調節することにより調整される、請求項１のマットレス支持要素。
【請求項１３】
前記ブラダの内容積は前記流体容器の内容積から分離している、請求項１のマットレス支持要素。
【請求項１４】
前記ブラダは外壁、半径方向に離隔した内壁、および前記ブラダを封止する第一および第二端壁を有し、前記内壁は前記流体容器を有する前記ブラダへの開口部を形成するように構成されている、請求項１のマットレス支持要素。
【請求項１５】
前記開口部内に設置された除去可能インサートを更に含む、請求項１４のマットレス支持要素。
【請求項１６】
前記インサートは弾性圧縮自在材料で形成されている、請求項１５のマットレス支持要素。
【請求項１７】
前記ブラダに外圧が加わるときに前記流体容器の体積を制御するための手段を前記流体容器内に更に含む、請求項１のマットレス支持要素。
【請求項１８】
前記流体容器は、外力が前記ブラダから除去されるときに自動的に初期形状に戻る外壁を有する、請求項１のマットレス支持要素。
【請求項１９】
前記ブラダは、前記ブラダに実質的に囲繞された前記ブラダの対向端に第一および第二流体容器を形成する構成の離隔した第一および第二端壁を含む、請求項１のマットレス支持要素。
【請求項２０】
調節手段は前記ブラダの内側に設置された弾性部材を含み、前記弾性部材は前記ブラダの第一端壁に連結された第一端を有しかつ前記ブラダの第二端壁に連結された第二端を有する、請求項１９のマットレス支持要素。
【請求項２１】
前記ブラダの第一および第二端壁間に延在する管を更に含み、前記弾性部材は前記管内に設置されている、請求項２０のマットレス支持要素。
【請求項２２】
前記調節手段は第一および第二流体容器内にそれぞれ設置された第一および第二圧縮自在弾性部材を含み、前記圧縮自在弾性部材は周囲空気と連通している、請求項１９のマットレス支持要素。
【請求項２３】
第一および第二流体容器は概ね円錐形である、請求項１９のマットレス支持要素。
【請求項２４】
流体充填ブラダ、
前記ブラダに少なくとも一部が囲繞された流体室、および
前記流体室内に設置された弾性部材を含み、
前記ブラダは前記ブラダからの流体の漏れを防止するために封止され、かつ
前記流体室は周囲空気と連通する流体内にある、マットレス支持要素。
【請求項２５】
前記流体室は前記ブラダ内に封止された内ブラダであり、かつ前記内ブラダと周囲流体間で流体により連通する構成の通気管を含む、請求項２４のマットレス支持要素。
【請求項２６】
前記ブラダの内容積は前記流体室の内容積から分離している、請求項２４のマットレス支持要素。
【請求項２７】
前記弾性部材はフォーム材、不織熱可塑性材、複数のスプリング要素、およびベローの少なくとも一つを含む、請求項２４のマットレス支持要素。
【請求項２８】
前記ブラダの内側に設置されかつ前記流体室を実質的に囲繞する弾性圧縮自在材料を更に含む、請求項２４のマットレス支持要素。
【請求項２９】
前記流体容器を前記ブラダを介して周囲流体へ通気させて前記流体容器に対する流入流出を生じさせるように構成した流体運搬部材を更に含む、請求項２４のマットレス支持要素。
【請求項３０】
前記流体運搬部材は遮断されていない、請求項２９のマットレス支持要素。
【請求項３１】
前記ブラダは外壁、半径方向に離隔した内壁、および前記ブラダを封止する第一および第二端壁を有し、前記内壁は前記流体容器を有する前記ブラダへの開口部を形成するように構成されている、請求項２４のマットレス支持要素。
【請求項３２】
前記弾性部材は前記開口部内に設置された除去可能インサートである、請求項３１のマットレス支持要素。
【請求項３３】
前記ブラダは、前記ブラダに実質的に囲繞された前記ブラダの対向端に第一および第二流体室を形成する構成の離隔した第一および第二端壁を含み、かつ前記弾性部材は前記ブラダの第一端壁に連結された第一端、および前記ブラダの第二端壁に連結された第二端を有する、請求項２４のマットレス支持要素。
【請求項３４】
前記ブラダは、前記ブラダに実質的に囲繞された前記ブラダの対向端に第一および第二流体室を形成する構成の離隔した第一および第二端壁を含み、かつ前記弾性部材は第一および第二流体室内にそれぞれ設置された第一および第二圧縮自在弾性部材を含み、第一および第二弾性部材は周囲空気と連通している、請求項２４のマットレス支持要素。
【請求項３５】
内領域を形成する構成のカバー、および
前記内領域に設置されたマットレスコアを含み、
前記マットレスコアは複数の支持要素を含み、
前記支持要素は流体充填ブラダおよび前記ブラダに実質的に囲繞された流体容器を含み、
前記流体容器は前記ブラダの外側の周囲流体と定常的に流体により連通し、
前記流体容器は、外圧が前記ブラダに加わるときに初期形状から変形し、かつ外圧が前記ブラダから除去されるときに初期形状へ戻って前記支持要素の圧力を調整するように構成されている、マットレス。
【請求項３６】
前記マットレスコア上かつ前記カバー下に設置されたシェアライナ（shear liner)を更に含む、請求項３５のマットレス。
【請求項３７】
前記マットレスコアは複数の隣接するスリーブを提供するために形成されたシェア（shear)材料を含み、支持要素が各前記スリーブ内に設置されている、請求項３５のマットレス。
【請求項３８】
前記支持要素の各々の前記ブラダは前記ブラダからの流体の漏れを防止するために封止されている、請求項３５のマットレス。
【請求項３９】
前記流体容器の各々の内側に設置された圧縮自在弾性部材を更に含む、請求項３５のマットレス。
【請求項４０】
前記弾性部材はフォーム材、熱可塑性不織材、複数のスプリング要素、およびベローの少なくとも一つを含む、請求項３９のマットレス。
【請求項４１】
前記ブラダは外壁、半径方向に離隔した内壁、および前記ブラダを封止する第一および第二端壁を有し、前記内壁は前記流体容器を有する前記ブラダの開口部を形成するように構成されている、請求項３５のマットレス。
【請求項４２】
前記開口部内に設置された除去可能インサートを更に含む、請求項４１のマットレス。
【請求項４３】
前記ブラダ内の圧力を調整するために、前記ブラダに外圧が加わるときに前記流体容器の体積を制御するための手段を前記流体容器内に更に含む、請求項３５のマットレス。
【請求項４４】
少なくとも一つの支持要素は、前記流体容器を前記ブラダを介して周囲流体へ通気させて前記流体容器に対する流入流出を生じさせるように構成した流体運搬部材を含む、請求項３５のマットレス。
【請求項４５】
少なくとも一つの支持要素の前記ブラダは、前記ブラダに実質的に囲繞された前記ブラダの対向端に第一および第二流体容器を形成する構成の離隔した第一および第二端壁を含み、かつ外力が前記ブラダへ加わるときに第一および第二流体容器の容積を調節するための手段を更に含む、請求項３５のマットレス。
【発明の詳細な説明】
【技術分野】
【０００１】
本発明はマットレス構造に関する。更に詳細には、本発明は複数の自己膨張型エアブラダを含むマットレス構造に関する。
【発明の開示】
【課題を解決するための手段】
【０００２】
本発明の一実施形態において、マットレス支持要素は、流体充填ブラダ、および前記ブラダにより実質的に囲繞された流体容器を含む。前記流体容器は前記ブラダの外側の周囲流体と定常的に流体により連通する状態にある。前記流体容器は、外力または外圧が前記ブラダに加わるときに初期形状から変形し、かつ外力または外圧が前記ブラダから除去されるときに初期形状へ再変形、即ち、復帰するように構成されている。
【０００３】
実施例として、前記ブラダは前記ブラダからの流体の漏れを防止するために封止されている。一実施形態において、前記流体容器は、外力が前記ブラダから除去された後に自動的に初期形状に再変形する外壁を有する。他の実施形態として、弾性圧縮自在部材が前記流体容器の内側に設置される。前記弾性圧縮自在部材はフォーム材、熱可塑性不織材、複数のスプリング要素、およびベローの少なくとも一つを含む。他の実施形態として、弾性圧縮自在材料が前記ブラダの内側に設置されかつ前記流体容器を実質的に囲繞している。
【０００４】
前記ブラダは外壁、半径方向に離隔した内壁、および前記ブラダを封止する第一および第二端壁を有する。前記内壁は前記流体容器を有する前記ブラダの開口部を形成するように構成されている。例示として、弾性圧縮自在材料から形成された除去可能インサートが前記開口部内に設置されている。
【０００５】
他の実施形態において、前記ブラダは、前記ブラダに実質的に囲繞された前記ブラダの対向端に第一および第二流体容器を形成する構成の離隔した第一および第二端壁を含む。前記マットレス支持要素は、前記ブラダに外力が加わるときに第一および第二流体容器の体積を調節するための調節手段を更に含む。一実施形態において、前記調節手段は前記ブラダの内側に設置された弾性部材を含む。前記調節手段は前記ブラダの内側に設置された弾性部材を含み、前記弾性部材は前記ブラダの第一端壁に連結された第一端、および前記ブラダの第二端壁に連結された第二端を有する。他の実施形態において、前記調節手段は第一および第二流体容器内にそれぞれ設置された第一および第二圧縮自在弾性部材を含み、前記弾性部材は周囲空気と連通している。
【０００６】
他の実施形態において、マットレス支持要素は流体充填ブラダおよび前記ブラダに少なくとも一部が囲繞された流体室を含み、前記ブラダは前記ブラダからの流体の漏れを防止するために封止されている。前記流体室は周囲空気と連通している。前記マットレス支持要素は、また、前記流体室内に設置された弾性部材を含む。
【０００７】
他の実施形態において、マットレスは、内領域を形成する構成のカバー、および前記内領域に設置されたマットレスコアを含む。前記マットレスコアは複数の支持要素を含む。少なくとも一つの前記支持要素は流体充填ブラダおよび前記ブラダに実質的に囲繞された流体容器を含む。前記流体容器は前記ブラダの外側の周囲流体と定常的に流体により連通している。前記流体容器は、また、外力が前記ブラダに加わるときに初期形状から変形し、かつ外力が前記ブラダから除去されるときに初期形状へ戻って前記支持要素の圧力を調整するように構成されている。
【０００８】
一実施形態において、前記マットレスコア上かつ前記カバー下に設置されたシエアライナ（shear liner)が設置されている。前記マットレスコアは複数の隣接するスリーブを提供するために形成された羊毛材料を含む。支持要素が前記スリーブの各々に設置されている。
【０００９】
本発明の他の特徴は現在認知している本発明を実施する最良の実施形態を示す次の説明から当業者に理解されるであろう。
【発明を実施するための最良の形態】
【００１０】
図面を参照すると、図１は本発明のマットレス構造１０を示す。図示形態において、マットレス１０は上カバー１２および下カバー１４を含む。上カバー１２および下カバー１４は従来法により一緒に結合されて、上カバー１２と下カバー１４間で内領域１６を形成する。上カバー１２および下カバー１４は図示例において気体透過性であるが液体不透過性である選択的通気孔１５を含む。通気孔１５は上下カバー１２，１４への気体の通過を可能にし、他方でマットレス１０の内領域への患者の液体の侵入を阻止する。マットレスコア１８は図示例において内領域１６内に設置される。シエアライナ２０は、図示例において、マットレスコア１８と上カバー１２との間に設置されてマットレスコア１８の上面２２と上カバー１２との間の摩擦を低減し、それによりマットレス１０上に存在する身体上への剪断力（shear forces）を低下させる。
【００１１】
図示形態において、マットレスコア１８はマットレスコア１８の幅を横切る方向にわたって延在する複数の分離エアブラダ２４を含む。エアブラダ２４はグリープ化されて分離マットレスゾーンを形成する。グループ化されたブラダ２４は、他のグループ化されたブラダ２４と異なる長さおよび剛性を有する。長さおよび剛性の相違はそのゾーンを患者身体の異なる領域の圧力緩和要求に適合させる。一形態において、各ブラダ２４はつなぎ綱、RF溶接、ボタン、スナップ、紐等により隣接するブラダ24に連結されてブラダ24のアレイを形成する。他の形態において、図９に示されたように、ブラダ２４は、例えば米国特許第５８０２６４６号、同第６２１２７１８号、同第６２８６１６７号、および米国特許出願第１０／０４４４１０号に示されたように、シエア材により形成される。これらの開示内容は参考としてここに組み入れられる。
【００１２】
理解されるように、フォーム層、付加的エアブラダ、ゲル層、他の流体層等の他の支持要素（図示せず）がマットレスコア１８の上方または下方の内領域１６内に設置される。ブラダ２４は個別またはグループでフォーム層、ゲル層等内に設置されてよい。更に、ブラダ２４はマットレスコア１８内で長手方向に延在するように配置されてよい。
【００１３】
複数のエアブラダ２４がマットレス１０上の身体を支持するために所望圧力まで自己膨張するように構成される。従って、複数のブラダ２４は、エアブラダの膨張を維持するためにエアブラダ２４に連結されるべき分離エア供給源を必要とすることなく身体を支持する。エアブラダ２４は、また、荷重または外力がエアブラダ２４に加わるときに、圧力緩和を可能にする。
【００１４】
本発明のエアブラダ２４の一形態が図２に示されている。図２のエアブラダ２４は封止された外ブラダ２６を含む。内自己膨張型ブラダ２８は外ブラダ２６の内領域３０内に設置される。エアブラダ２６は製造業者により封止されるか、またはブラダ２６を所望圧力まで初期膨張させる取り外し自在キャップ３２を含む。キャップ３２はそこで外ブラダ２６を封止するために置換される。外ブラダ２６は患者との大きな面接触領域を可能にするため追従する柔軟材料により形成されるのが好ましい。内ブラダ２８は所望により外ブラダ２６の内壁の一部に連結されてよい。内ブラダ２８は外ブラダ２６へ直接的に連結するかまたはバッフル、つなぎ網または他の適宜連結部材により連結できる。通気管３４が内ブラダ２８に連結される。通気管３４は開放端３６を含む。従って、通気管３４は流れ制御弁または他の障害物により制限されない。外ブラダ２６は外ブラダ２６内の圧力を維持するために場所３８で通気管に封止される。
【００１５】
自己膨張型内ブラダ２８には図示例において弾性部材４０が充填される。図示例において、弾性部材４０は、網状フォーム材または他の適宜材料等孔質、弾性かつ圧縮自在の材料である。弾性部材４０は、圧縮力により圧搾または変形後に一旦圧縮力を除去すると、初期寸法、形状または位置へ復帰する性質を有する。弾性部材４０は熱可塑性不織材、複数のスプリング要素、ベロー、または他の適宜材料により形成されてよい。
【００１６】
他の実施形態において、内ブラダ２８はプラスチック、ゴム、または形状記憶を有するように予備成形された同様材料により構成される。かかる記憶は、外力が除去されるときに、内ブラダ２８の自動回復（復帰）を可能にする。従って、ブラダの外壁は初期において外力により変形するが、その後に外力がブラダから除去されると自動的に初期形状へ戻り、ブラダ２８への流体の再充填を可能にする。この実施形態において、分離弾性部材４０は必要とされない。
【００１７】
エアは内ブラダ２８へ通気管３４を介して矢印方向４２に流れる。エアは、また、矢印方向４４において通気管３４を介して内ブラダ２８から外へ自由に流れる。内ブラダ２８の通気管３４を出入りするエアは上カバー１２および下カバー１４を連結するマットレスジッパ（ticking zipper)を通る周囲空気に由来する。
【００１８】
図示形態において、外ブラダ２６は、初期において、大気圧の空気またはその近くの空気で充填される。自己回復性を有する自己内ブラダ２８内の弾性部材４０は、負荷がブラダ２４に加わるときに通気管３４から内ブラダ２８を自己膨張させる。弾性部材４０の性質および／または内ブラダ２８の記憶は、矢印方向４６において外ブラダ２６へ負荷が加わる限り内ブラダ２８から抜ける（排出される）空気量を決定する。身体が外ブラダ２６上に位置決めされるとき等外力が外ブラダ２６に加わるときに、内領域３０内の圧力は上昇しかつ内ブラダ２６を圧搾し、空気を矢印方向４４へ逃がし、それにより内ブラダ２６の体積を減少させる。内ブラダ２６の体積の減少は、負荷が加わるときにエアブラダ２４の内領域３０内の圧力を調整する。従って、エアブラダ２４はエアブラダ２４上に位置する身体上の圧力を減少させる作用をして身体上の圧力病弊（潰瘍）の危険を小さくする。エアブラダ２４における圧力変化率および最終平衡圧力は弾性部材４０および内ブラダ２８の量および硬度により制御される。
【００１９】
矢印４６の方向の力が除去されるときに、弾性部材４０は拡大して内ブラダ２８を再膨張させる。内ブラダ２８および弾性部材４０の性質は所望負荷／偏向応答特性（load/deflection response characteristics）を達成するために変更されてよい。代表的には、負荷／偏向応答特性は患者との界面圧力を最小にし、かつ患者の「落下」またはエアブラダ２４の完全圧縮を防止するためにカスタマイズされる。マットレス１０は適正移動を可能にしかつ適正支持力を付与するために対応する圧力変化により制御された質量的変化を提供するように設計される。
【００２０】
他の実施形態のブラダ５０は図３に示されたように、マットレスコア１８に使用できるものである。図３の実施形態は図２と同様である。図２と同一番号により示された要素は同一または類似の機能を有する。図３において、孔質、弾性、かつ圧縮自在材料５２が同様に内ブラダ２８を囲繞する外ブラダ２６の内領域３０内に設置される。例えば、圧縮自在材料５２は網状フォームまたは他の類似材料である。
【００２１】
逆止弁５４が外ブラダ２６の内管５６に連結される。逆止弁５４は矢印５８の方向において空気を外ブラダ２６の内領域３０へ侵入させるが、空気が外ブラダ２６から逃げるのを阻止する。エアブラダ５０は図２のエアブラダ２４に望まれるリークタイトを必要としない。外ブラダ２６が膨張状態になると、圧縮自在材料５２は膨張して空気を矢印方向５８において外ブラダ２６の内領域３０へ引く。
【００２２】
エアブラダ５０内の圧力は図２に関して説明したように同様方法で調整される。負荷が矢印方向４６においてエアブラダ５０に加わるときに、内領域３０内の圧力は上昇しかつ内ブラダ２８を圧搾して矢印４４の方向へ空気を排出する。負荷が取り除かれるときに、材料４２は膨張して空気を矢印方向４２において内ブラダ２８へ引く。再度説明すれば、材料４０の硬度と圧縮量は、エアブラダ５０内の所望平衡圧力をカスタマイズするために選択される。
【００２３】
本発明の他の実施形態において、図２および３の内ブラダ２８は内ブラダ２８から流れる空気の流れを制御する圧力調整弁に連結される。内ブラダ２８内の圧力が調整弁の所定スレッショルド圧力を越えるときに、空気は内ブラダ２８から排出される。この実施形態において、逆止弁は同様に内ブラダ２８へ連結される。逆止弁は空気の内ブラダ２８への流れを可能にするが、内ブラダ２８からの空気の流出を阻止する。従って、内ブラダ２８は、異なる形態において負荷がエアブラダ２４または５０から除去されるときに逆止弁により膨張する。
【００２４】
本発明のエアブラダの他の実施形態は図４および５に示されている。エアブラダ６０は図示例において円筒形でありかつ外壁６２、内壁６４、および外壁６２および内壁６４へ封止される端壁６６および６８を含み、大気に開放する長手方向に延びた中央開口部７０を有する封止されたエアブラダ６０を提供する。円筒状インサート７２が矢印方向７４において開口部７０へ挿入されるように構成されている。図５は開口部７０内に設置されたインサート７２を示す。図示例として、インサート７２は、負荷が加わるときに圧縮しかつ負荷が除去されるときに初期体積に戻って拡張する網状フォームまたは他のタイプの材料等孔質、弾性圧縮自在材料から形成される。インサート７２の硬度および圧縮量はエアブラダ６０の最終平衡圧力を制御する。負荷がエアブラダ６０に図５の矢印方向７６へ加わるときに、フォームインサート７２は、空気がエアブラダ６０の開口部７０の開放端から逃げるに従って圧縮される。負荷７６が除去されるにつれて、インサート７２はブラダ６０がその平衡圧力へ復帰するように拡張する。
【００２５】
本発明の他の実施形態が図６に示されている。図６の実施形態は、図４および５に示した実施形態と同様である。図４および５と同様番号により示される要素は同一または類似機能を達成する。しかし、図６の実施形態において、網状フォームまたは他のタイプの適宜材料８０等の孔質、弾性圧縮自在材料は外壁６２と内壁６４との間でエアブラダ６０の内領域内に設置される。逆止弁８２は同様にエアブラダ６０に連結されて大気からの空気を矢印方向８４においてエアブラダ６０の内領域７８へ流す。逆止弁８２および圧縮自在材料８０はエアブラダ６０の内領域７８を空気で充填維持する。従って、図６の実施形態において気密シールは必要ない。
【００２６】
図５および６の実施形態において、インサート７２は、マットレス上に横たわる患者の踵の下等マットレスの一定領域の圧力を低下させるために、マットレスコア１８の所望部において中央開口部７０から除去されてよい。従って、圧力はインサート７２を全体的に除去することによりカスタマイズするかまたはインサート７２の硬度および圧縮量をカスタマイズすることによりカスタマイズできる。
【００２７】
本発明の更に他の実施形態が図７に示されている。図７のブラダ１００は外面１０２、および内部テンション部材１０８により共に連結された端壁１０４および１０６を含む。図示例として、テンション部１０８はバンジーコード（bungee cord)、スプリング、または他の適宜弾性部材である。テンション部材１０８は端壁１０４および１０６を内方へ引っ張ってブラダ１００の対向端の膨張室１１０および１１２を形成する。
【００２８】
孔質、弾性圧縮自在材料１１４はブラダ１００の内領域内に設置される。圧縮自在材料１１４は、図示例において、テンション部材１０８を受ける構成の長手方向に延びた開口部１１６を含む。必要であれば、選択により可撓性、非圧縮管１１７が、テンション部材１０８上での圧縮自在材料１１４の崩壊を阻止するために開口部１１６内に設けられる。圧縮自在材料１１４は、負荷がブラダ１００に加わらないときに初期形状を維持する。
【００２９】
テンション部材１０８は図示例において、ブラダ１００が力により負荷を受けるまで約ゼロの引っ張り力を有する。負荷が矢印方向１１８に加わるときに、ブラダ１００の内領域は圧縮されて端壁１０４および１０６をテンション部材１０８の力に対してそれぞれ矢印方向１２０および１２２において外方へ拡張させる。テンション部材１０８の硬度はブラダ１００の圧力特性を決定する。図示例として、より硬質のテンション部材１０８がシートセクション等より大きい負荷を受けるマットレスコア１８のセクションに使用される。他の弾性テンション部材１０８が、マットレスコア１８の踵ゾーン等小さい圧力が望まれるマットレスコア１８のセクションに使用される。テンション部材１０８はブラダ１００の負荷／偏向特性に影響しかつ所望により調節できる。
【００３０】
換言すれば、端壁１０４および１０６のそれぞれ矢印方向１２０および１２２への外拡張は、テンション部材１０８の硬さと伸びにより制御される。ブラダ１００内の平衡圧力は端壁１０４および１０６の制御された拡張により決定される。テンション部材１０８のスプリング率を変えることによりブラダ１００内の平衡圧力はカスタマイズされる。矢印方向１１８への負荷が取り除かれるときにテンション部材１０８は図７に示された位置へ向かって内方へ端壁１０４および１０６を引っ張ってブラダ１００をその平衡圧力まで膨張させる。
【００３１】
図７のブラダ１００の他の実施形態において、選択的逆止弁１２４は外面１０２に連結される。逆止弁１２４は、ブラダ１００への負荷が除かれた後に図７の位置へ復帰するときに矢印方向１２６でブラダ１００の内領域へ空気を引く。
【００３２】
本発明の他の実施形態が更に図８に示されている。図８の実施形態は概ね円筒形の外壁１３２、および端壁１３４と１３６を有するブラダ１３０を含む。端壁１３４および１３６は概ね円錐形である。孔質、弾性圧縮自在材料１３８がブラダ１３０の内領域１４０に設置されている。圧縮自在部材１４２および１４４がそれぞれ端壁１３４および１３６に隣接して設置されている。円錐形圧縮自在部材１４２および１４４は、図示例として、網状フォームまたは他の適宜材料等の孔質、弾性圧縮自在材料により形成される。負荷がブラダ１３０に矢印方向１４６へ加わるときに、圧縮自在部材１４２および１４４は圧縮される。図示例として、圧縮自在部材１４２および１４４は大気に通気される。従って、ブラダ１３０の端壁１３４および１３６の拡張が、図７に示されたような内テンション部材１０８を使用する代わりに、圧縮可能部材１４２および１４４を圧縮することにより制御される。負荷１４５６が除かれるときに、圧縮自在部材１４２および１４４は所定形状へ拡張してブラダ１３０が平衡圧力に復帰するようにする。
【００３３】
図８の他の実施形態において、選択的逆止弁１４８は外壁１３２に連結されて、空気が大気から矢印方向１５０において内領域１４０へ流れるようになる。従って、負荷が除去されるときに空気はブラダ１３０の内領域１４０へ侵入して、ブラダ１３０がその平衡圧力へ復帰するようにする。
本発明を一定の図示形態を参照して詳細に説明したが、変更および改良が特許請求の範囲に記載の発明の範囲および精神内で可能である。
【図面の簡単な説明】
【００３４】
【図１】複数自己膨張型エアブラダを有するマットレスコアを含む本発明のマットレスの分解斜視図である。
【図２】本発明の自己膨張型エアブラダの第一形態を示す線図である。
【図３】本発明の他の形態のエアブラダの断面図である。
【図４】本発明の他の形態のエアブラダの分解斜視図である。
【図５】図４のエアブラダの断面図である。
【図６】本発明の他の形態を示す図５に同様の断面図である。
【図７】本発明の他の形態の断面図である。
【図８】本発明の他の形態の断面図である。
【図９】本発明のマットレスコアの他の形態の斜視図である。
【国際公開パンフレット】
2004520905.tif 000003
2004520905.tif 000004
2004520905.tif 000005
2004520905.tif 000006
2004520905.tif 000007
2004520905.tif 000008
2004520905.tif 000009
2004520905.tif 000010
2004520905.tif 000011
2004520905.tif 000012
2004520905.tif 000013
2004520905.tif 000014
2004520905.tif 000015
2004520905.tif 000016
2004520905.tif 000017
2004520905.tif 000018
2004520905.tif 000019
2004520905.tif 000020
2004520905.tif 000021
2004520905.tif 000022
【国際公開パンフレット（コレクトバージョン）】
2004520905.tif 000023
2004520905.tif 000024
【国際調査報告】
2004520905.tif 000025
2004520905.tif 000026
2004520905.tif 000027